【手続補正書】
【提出日】平成17年3月3日(2005.3.3)
【手続補正１】
【補正対象書類名】明細書
【補正対象項目名】発明の名称
【補正方法】変更
【補正の内容】
【発明の名称】ストレージアクセス管理装置及び方法並びに課金方法
【手続補正２】
【補正対象書類名】明細書
【補正対象項目名】特許請求の範囲
【補正方法】変更
【補正の内容】
【特許請求の範囲】
【請求項１】
少なくとも１台の論理デバイスストレージユニットと、少なくとも１つのインタフェースポートと、前記インタフェースポートを通して前記論理デバイスストレージユニットの少なくとも１台と接続され、前記インタフェースポートを経由した当該論理デバイスストレージユニットに対する情報の入出力を制御する制御装置とを有するディスクシステムと、
前記ディスクシステム中の少なくとも１台の前記論理デバイスストレージユニットに対する情報の入出力、前記論理デバイスストレージユニットの割り当て及び開放を管理するディスクシステムマネージャと、
時間ベースの構成要素を含む複数のユーザ情報を保持し、前記ユーザ情報に基づいて、前記論理デバイスストレージユニットの少なくとも１台に対するアクセスの許認可操作を行うストレージアクセスサービスシステムと
を備えることを特徴とするストレージアクセス管理装置。
【請求項２】
前記時間ベースの構成要素は、１又は複数の時間帯を示す時間帯情報を含み、
前記ユーザ情報は、前記時間帯に対応する複数の料率を含み、
前記ストレージアクセスサービスシステムは、
前記時間帯情報と、少なくとも１つの前記料率と、ユーザのアクセス時間とに基づいて、当該ユーザへのアクセスサービスに対する課金を決める
ことを特徴とする請求項１に記載のストレージアクセス管理装置。
【請求項３】
前記ユーザ情報は、さらに前記ユーザのアクセス来歴を含み、
前記ストレージサービスシステムは、
前記ユーザの前記アクセス来歴に基づいて、当該ユーザへの前記アクセスサービスに対する前記課金を決める
ことを特徴とする請求項２に記載のストレージアクセス管理装置。
【請求項４】
各前記料率は、それぞれ前記時間帯中の複数の時刻帯のいずれかの前記時刻帯に対応し、
前記ストレージアクセスサービスシステムは、
前記アクセス来歴に含まれる前記ユーザの各アクセスについて、前記アクセス時間を前記時間帯中の対応する前記時刻帯と比較して前記複数の料率の中から適用すべき前記料率を決定し、決定した前記料率を当該アクセスのコストに乗算して当該アクセスに対するアクセスコストを計算し、各前記アクセスに対する前記アクセスコストを集計することにより、前記ユーザへのアクセスサービスに対する前記課金を決める
ことを特徴とする請求項３に記載のストレージアクセス管理装置。
【請求項５】
前記複数の料率の少なくとも１つは、ＳＬＡ（Service Level Agreement）により決まる
ことを特徴とする請求項４に記載のストレージアクセス管理装置。
【請求項６】
各前記料率は、それぞれ前記時間帯中の複数の時刻帯のいずれかの前記時刻帯に対応し、
前記ユーザは、前記複数の論理デバイスストレージユニットの少なくとも１つに、事前計画に従って、いずれかの前記時刻帯内で個別にアクセスすることを契約し、
前記ストレージアクセスサービスシステムは、
前記ユーザの前記事前計画で契約した前記時刻帯に対応する前記料率に基づいて、前記ユーザへの前記アクセスサービスに対する前記課金を決める
ことを特徴とする請求項２に記載のストレージアクセス管理装置。
【請求項７】
前記ストレージアクセスサービスは、
前記事前計画で契約された各前記時刻帯を、該当する前記時間帯中の前記時刻帯と比較して適用すべき前記料率を決定し、前記事前計画で契約された各前記時刻帯でのコストにそれぞれ対応する前記料率を乗算した結果を集計することにより、前記ユーザへのアクセスサービスに対する前記課金を決める
ことを特徴とする請求項６に記載のストレージアクセス管理装置。
【請求項８】
前記複数の料率の少なくとも１つは、ＳＬＡ（Service Level Agreement）により決まる
ことを特徴とする請求項７に記載のストレージアクセス管理装置。
【請求項９】
前記ストレージアクセスシステムは、
前記事前計画で決められた各前記時刻帯を、該当する前記時間帯中の前記時刻帯と比較して適用すべき前記料率を決定し、前記適用すべき料率に請求期間内で前記事前計画に従った前記複数の時刻帯中のアクセス回数を乗算してアクセスコストを計算することにより、前記ユーザへのアクセスサービスに対する課金を決める
ことを特徴とする請求項６に記載のストレージアクセス管理装置。
【請求項１０】
前記複数の料率の少なくとも１つは、ＳＬＡ（Service Level Agreement）により決まる
ことを特徴とする請求項９に記載のストレージアクセス管理装置。
【請求項１１】
ストレージ資源へのアクセスを管理するためのストレージアクセス管理方法であって、
アクセス提供者とユーザの間で、ユーザ名、ストレージ資源名及び時間帯と、前記ストレージ資源にアクセスするための複数の料率の少なくとも１つの料率とが含まれるユーザ情報で構成される契約を締結する第１のステップと、
前記ユーザ名、前記ストレージ資源名及び前記時間帯に基づいて、前記ストレージ資源へのアクセスを許可する第２のステップと、
前記ユーザ名、前記ストレージ資源名及び少なくとも１つの前記料率に基づいて、前記ストレージ資源にアクセスするための課金を決定する第３のステップと
を備えることを特徴とするストレージアクセス管理方法。
【請求項１２】
前記第２のステップでは、
前記ストレージ資源への各アクセスをアクセス来歴に記録する
ことを特徴とする請求項１１に記載のストレージアクセス管理方法。
【請求項１３】
前記第３のステップでは、
前記アクセス来歴から各アクセスの使用時間を決定し、
前記複数の料率の少なくとも１つの料率から前記使用時間に対応する料率を決定し、
前記アクセス来歴に含まれる前記ユーザの各前記アクセスについて、前記使用時間に前記使用時間に対応する料率を乗算して当該アクセスに対するアクセスコストを計算し、各前記アクセスコストを集計することにより、前記ユーザへのアクセスサービスに対する前記課金を決める
ことを特徴とする請求項１２に記載のストレージアクセス管理方法。
【請求項１４】
各前記料率は、それぞれ前記時間帯中の複数の時刻帯のいずれかの前記時刻帯に対応し、
前記第３のステップでは、
前記アクセス来歴中の各アクセスの記録を前記複数の時刻帯と比較することにより、前記複数の料率の中から前記使用時間に対応する前記料率を決定する
ことを特徴とする請求項１３に記載のストレージアクセス管理方法。
【請求項１５】
前記第１のステップでは、
前記ユーザは、事前計画に従った前記時刻帯に前記ストレージ資源にアクセスすることを契約し、
前記第２のステップでは、
前記事前計画に従った前記時刻帯内で前記ユーザが前記ストレージ資源にアクセスすることを許可する
ことを特徴とする請求項１１に記載のストレージアクセス管理方法。
【請求項１６】
各前記料率は、それぞれ前記時間帯中の複数の時刻帯のいずれかの前記時刻帯に対応し、
前記第３のステップでは、
前記事前計画に従った各前記時刻帯にそれぞれ対応する前記料率を選択し、当該事前計画に従った各前記時刻帯中の各アクセスに当該時刻帯に対応する前記料率を乗算した各アクセスコストを集計することにより、前記ユーザへのアクセスサービスに対する前記課金を決める
ことを特徴とする請求項１５に記載のストレージアクセス管理方法。
【請求項１７】
各前記料率は、それぞれ前記時間帯中の複数の時刻帯のいずれかの前記時刻帯に対応し、
前記第３のステップでは、
前記事前計画に従った各前記時刻帯にそれぞれ対応する前記料率を選択し、前記時刻帯に対応する前記料率に、前記事前計画の請求書期間中の当該時刻帯内で発生したアクセス回数を乗じて得たコストを集計することにより、前記ユーザへのアクセスサービスに対する前記課金を決める
ことを特徴とする請求項１５に記載のストレージアクセス管理方法。
【請求項１８】
ユーザからのディスクサブシステムのストレージへのアクセスに対して課金する課金方法であって、
前記ユーザのロケーションの時間帯に基づいて、複数のアクセス許可時間中の少なくとも１つと、各前記アクセス許可時間に対応してそれぞれ定められたアクセスに対する複数の料率のうちの少なくとも１つとを決定する第１のステップと、
前記ユーザに容量、前記複数のアクセス許可時間中の少なくとも１つ、及び前記複数の料率中の少なくとも１つに基づいて、前記ストレージアクセスを提供することを契約する第２のステップと、
前記ユーザによる前記ディスクサブシステムの前記ストレージへのアクセスについて、アクセス時間帯を追跡し、前記ユーザの前記ロケーションにおける前記時間帯と、複数の前記アクセス許可時間中の少なくとも１つと、前記複数のアクセス料率中の少なくとも１つとに基づいて、前記ユーザの前記時間帯のアクセス料金を決定する第３のステップと、
前記アクセス料金により前記ユーザのための合計のアクセスコストを計算する第４のステップと
を備えることを特徴とする課金方法。
【請求項１９】
ユーザからのディスクサブシステムのストレージへのアクセスに対して課金する課金方法であって、
前記ユーザのロケーションの時間帯に基づいて、複数のアクセス許可時間中の少なくとも１つと、各前記アクセス許可時間に対応してそれぞれ定められたアクセスに対する複数の料率のうちの少なくとも１つとを決定する第１のステップと、
前記ユーザに容量、前記複数のアクセス許可時間中の少なくとも１つ、及び前記複数の料率中の少なくとも１つに基づいて、前記ストレージアクセスを提供することを契約する第２のステップと、
前記ユーザの前記ロケーションにおける前記時間帯と、複数の前記アクセス許可時間中の少なくとも１つと、前記複数のアクセス料率中の少なくとも１つとに基づいて、前記アクセス許可時間に対して、前記ユーザへのアクセス料金を決定する第３のステップと、
前記アクセス料金により前記ユーザのための合計のアクセスコストを計算する第４のステップと
を備えることを特徴とする課金方法。
【手続補正３】
【補正対象書類名】明細書
【補正対象項目名】００６５
【補正方法】変更
【補正の内容】
【００６５】
次に、ステップ１３０６にて、ストレージアクセスサービスシステム１０８は、ＳＳＰとＳＳＰユーザが同意したＳＬＡ契約の価格と条件で、アクセス来歴情報の各アクセスのコストを集計して、サービスコストを決定する。具体的には、上述のように、本願明細書の「課題を解決するための手段」の欄において説明した各種手法によりサービスコストを決定することができる。次に、ステップ１３０８にて、ストレージアクセスサービスシステム１０８は、請求書とアクセス来歴をＳＳＰに送信する。ＳＳＰは、本請求書とアクセス来歴をＳＳＰユーザに転送する。他の実施例としては、ストレージアクセスサービスシステム１０８は、本項目を直接ＳＳＰユーザに送信する事も有る。ステップ１３１０にて、ユーザはＳＳＰに支払いを行う。